(57)【要約】【課題】  燃料電池の発電効率を高めるとともに、電気機器のスペースを有効に利用する。【解決手段】  手動ポンプ１、及び圧縮空気貯蔵タンク２がヒンジ部５に設けられることにより、ノート型ＰＣ１０のスペースを有効に利用することができる。さらに、手動ポンプ１で生成した圧縮気体を利用して燃料、及び酸素を燃料電池に供給することができることから、燃料、及び酸素を燃料電池に供給する際の消費電力を低減することができ、燃料電池の発電効率を高めることができる。【選択図】  図１
2005019371.tif 000002
【特許請求の範囲】
【請求項１】
電気機器本体と一体とされて電気機器を構成し、前記電気機器本体に電力を供給する燃料電池システムであって、
発電を行う燃料電池と、
圧縮気体を生成する気体圧縮手段と、
前記圧縮気体を貯蔵する圧縮気体貯蔵手段とを備え、
前記圧縮気体貯蔵手段に貯蔵された圧縮気体を利用して、前記発電に使用される燃料及び酸化剤のうち少なくとも一方を前記燃料電池に供給すること
を特徴とする燃料電池システム。
【請求項２】
前記燃料及び前記酸化剤は流体であり、前記圧縮気体貯蔵手段に貯蔵された圧縮気体を利用して前記流体を流動させること
を特徴とする請求項１記載の燃料電池システム。
【請求項３】
前記気体圧縮手段により生成される圧縮気体は、前記電気機器本体が使用される前に生成されること
を特徴とする請求項１記載の燃料電池システム。
【請求項４】
前記気体圧縮手段により生成される圧縮気体は、前記電気機器本体が使用される際に生成されること
を特徴とする請求項１記載の燃料電池システム。
【請求項５】
前記電気機器本体は操作部を備え、
前記気体圧縮手段により生成される圧縮気体は、前記操作部が操作されることにより生成されること
を特徴とする請求項４記載の燃料電池システム。
【請求項６】
前記気体圧縮手段により生成される圧縮気体は、マウス、キー、前記マウスに設けられたローラー、前記マウスに設けられたボタン、及びタッチパッドのうち１又は２以上の操作部が操作されることにより生成されること
を特徴とする請求項５記載の燃料電池システム。
【請求項７】
前記気体圧縮手段は、手動で気体を圧縮する手動圧縮装置であること
を特徴とする請求項１記載の燃料電池システム。
【請求項８】
前記手動圧縮装置は、ポンプであること
を特徴とする請求項７記載の燃料電池システム。
【請求項９】
前記電気機器本体はヒンジ部を備え、
前記気体圧縮手段及び前記圧縮気体貯蔵手段は、前記ヒンジ部に設けられていること
を特徴とする請求項１記載の燃料電池システム。
【請求項１０】
前記気体圧縮手段により生成される圧縮気体は、前記ヒンジ部を介して前記電気機器本体の一部を開閉する際に気体を圧縮して生成されること
を特徴とする請求項９記載の燃料電池システム。
【請求項１１】
発電を行う燃料電池と、圧縮気体を生成する気体圧縮手段と、前記圧縮気体を貯蔵する圧縮気体貯蔵手段とを備え、前記圧縮気体貯蔵手段に貯蔵された圧縮気体を利用して前記発電に使用される燃料及び酸化剤のうち少なくとも一方を前記燃料電池に供給する燃料電池システムと、
前記燃料電池から電力が供給される電気機器本体とを有すること
を特徴とする電気機器。
【請求項１２】
電気機器本体と一体とされて電気機器を構成し、前記電気機器本体に電力を供給する燃料電池システムであって、
発電を行う燃料電池と、
前記発電に使用される燃料及び酸化剤のうち少なくとも一方を前記燃料電池に供給するために利用される圧縮気体を生成する気体圧縮手段と、
前記気体圧縮手段を駆動するための駆動手段とを備えること
を特徴とする燃料電池システム。
【請求項１３】
さらに前記圧縮気体を貯蔵する圧縮気体貯蔵手段を備え、
当該圧縮気体貯蔵手段に貯蔵された圧縮気体を利用して前記発電に使用される燃料及び酸化剤のうち少なくとも一方を前記燃料電池に供給すること
を特徴とする請求項１２記載の燃料電池システム。
【請求項１４】
前記駆動手段は、力学的エネルギーを変換して前記気体圧縮手段を駆動すること
を特徴とする請求項１２記載の燃料電池システム。
【請求項１５】
前記駆動手段は、前記電気機器の自重によって生じる力学的エネルギーを変換すること
を特徴とする請求項１４記載の燃料電池システム。
【請求項１６】
前記駆動手段は、前記電気機器に搭載されたピストンであること
を特徴とする請求項１５記載の燃料電池システム。
【請求項１７】
前記駆動手段は、力学的エネルギーを発生するエネルギー発生手段と、前記力学的エネルギーを変換して前記気体圧縮手段を駆動するための駆動力を生成する駆動力生成手段とを備えること
を特徴とする請求項１２記載の燃料電池システム。
【請求項１８】
前記エネルギー発生手段は、前記電気機器の変位に応じて前記力学的エネルギーを発生すること
を特徴とする請求項１７記載の燃料電池システム。
【請求項１９】
前記エネルギー発生手段は、振り子であること
を特徴とする請求項１７記載の燃料電池システム。
【請求項２０】
前記エネルギー発生手段は、前記電気機器本体を操作するための操作部であること
を特徴とする請求項１７記載の燃料電池システム。
【請求項２１】
前記駆動力生成手段は、ぜんまいであること
を特徴とする請求項１７記載の燃料電池システム。
【請求項２２】
前記駆動手段は、前記電気機器本体の一部が開閉される際の動きに連動して前記気体圧縮手段を駆動すること
を特徴とする請求項１２記載の燃料電池システム。
【請求項２３】
前記駆動手段が駆動される際の動きに連動して前記電気機器の電源がオン状態とされること
を特徴とする請求項１２記載の燃料電池システム。
【請求項２４】
発電を行う燃料電池と、前記発電に使用される燃料及び酸化剤のうち少なくとも一方を前記燃料電池に供給するために利用される圧縮気体を生成する気体圧縮手段と、前記気体圧縮手段を駆動するための駆動手段とを備える燃料電池システムと、
前記燃料電池から電力が供給される電気機器本体とを有すること
を特徴とする電気機器。
【発明の詳細な説明】
【技術分野】
【０００１】
本発明は、発電効率が高められた燃料電池システム、及びこれを搭載した電気機器に関する。
【背景技術】
【０００２】
水素と酸素との化学反応によって発電を行う燃料電池では、燃料である水素や及び酸化剤である酸素を含む空気を発電体に供給して発電を行う。燃料電池は、発電により生成される生成物が水であることから、環境を汚染することがない発電装置として近年注目されており、各種電気機器の駆動電源として利用するための技術開発が活発に行われている。
【０００３】
また、燃料電池に直接供給される水素を用いて発電を行うだけでなく、メタノールの如き炭化水素を燃料として、発電を行うこともできる。これら水素やメタノールの如き燃料や酸化剤とされる酸素は、通常、ポンプやファンの如き供給装置によって発電体に供給されて発電反応が行われる。このような供給装置は、燃料電池及び燃料電池による発電を補助する各種補助機器とともに電気機器に組み込まれる場合があり、この燃料電池から供給される電力によって電気機器は駆動される。
【発明の開示】
【発明が解決しようとする課題】
【０００４】
ところで、上述した電気機器に配設される燃料電池は自ら発電した電力によって、燃料や空気を供給する供給装置、及び発電を行う際に必要な各種補助機器を駆動している。したがって、発電を行う際に駆動される供給装置及び各種補助機器の消費電力の分だけ燃料電池から電気機器に供給される電力が減少し、燃料電池から電気機器に供給される正味の電力量は低下することになる。すなわち、発電を行う際に駆動される供給装置及び各種補助機器の消費電力によって、燃料電池の発電効率が低下することになる。
【０００５】
さらに、燃料電池を搭載した電気機器においては、燃料電池で発電された電力を効率良く電気機器の駆動に用いることが重要であり、例えば、ノート型パソコン、携帯電話及びＰＤＡなどの携帯型電子機器の如き電気機器は、燃料電池から供給される電力によって一定時間安定して使用できることが重要な性能とされている。さらに、このような電気機器は、持ち運びが容易に行えるように小型化されていることも重要となる。
【０００６】
よって、本発明は上述した実情を鑑み、燃料電池の発電効率を高めることができる燃料電池システム、及びこれを搭載することにより電力を効率良く利用することができるとともにスペースを有効に利用することができる電気機器を提供することを目的とする。
【課題を解決するための手段】
【０００７】
本発明にかかる燃料電池システムは、電気機器本体と一体とされて電気機器を構成し、前記電気機器本体に電力を供給する燃料電池システムであって、発電を行う燃料電池と、圧縮気体を生成する気体圧縮手段と、前記圧縮気体を貯蔵する圧縮気体貯蔵手段とを備え、前記圧縮気体貯蔵手段に貯蔵された圧縮気体を利用して、前記発電に使用される燃料及び酸化剤のうち少なくとも一方を前記燃料電池に供給することを特徴とする。本発明にかかる燃料電池システムによれば、気体圧縮手段で生成された圧縮気体を一旦圧縮気体貯蔵手段に貯蔵し、この貯蔵された圧縮気体を利用することにより、燃料電池で発電された電力を殆ど消費することなく、前記発電に使用される燃料及び酸化剤の少なくとも一方を前記燃料電池に供給しながら発電を行うことができる。これにより、燃料電池の発電効率を高めることが可能となり、燃料電池を搭載した電気機器を効率良く駆動することが可能となる。
【０００８】
さらに、本発明にかかる燃料電池システムにおいては、前記燃料及び前記酸化剤を流体とし、前記圧縮気体貯蔵手段に貯蔵された圧縮気体を利用して前記流体を流動させることもできる。また、本発明にかかる燃料電池システムにおいては、前記気体圧縮手段により生成される圧縮気体を、前記電気機器本体が使用される前に生成しておいても良い。この圧縮気体を前記発電に使用される燃料及び酸化剤の少なくとも一方を前記燃料電池に供給する際に利用することにより、燃料及び酸化剤の少なくとも一方を前記燃料電池に供給する際に消費される消費電力を低減することが可能なり、前記燃料電池の発電効率を向上させることができる。また、前記気体圧縮手段により生成される圧縮気体を、前記電気機器本体が使用される際に生成することにより、燃料及び酸化剤のうち少なくとも一方を前記燃料電池に供給する際に消費される消費電力を低減することも可能である。
【０００９】
さらにまた、本発明にかかる燃料電池システムにおいては、前記電気機器本体が操作部を備え、前記気体圧縮手段により生成される圧縮気体が、前記操作部が操作されることにより生成されても良い。このようなこのような操作部を操作することで気体圧縮手段から圧縮気体を生成することにより、別途圧縮気体を生成するための手間を省略することができるとともに、燃料及び酸化剤のうち少なくとも一方を前記燃料電池に供給する際の消費電力を低減することが可能となる。さらに、前記気体圧縮手段を手動で気体を圧縮する手動圧縮装置とすることにより、気体を圧縮する際に気体圧縮手段を駆動するための電力が不要となることから、燃料電池の発電効率を高めることができる。
【００１０】
本発明にかかる燃料電池システムにおいては、前記電気機器本体はヒンジ部を備え、前記気体圧縮手段及び前記圧縮気体貯蔵手段は、前記ヒンジ部に設けられていても良い。これにより、電気機器本体のスペースを有効に利用することができ、燃料電池システムと電気機器本体とを効率良く配置することができる。よって、これら燃料電池システムと電気機器本体とを組み合わせてなる電気機器を小型化することも可能となる。また、前記気体圧縮手段により生成される圧縮気体を、前記ヒンジ部を介して前記電気機器本体の一部を開閉する際に気体を圧縮して生成することも可能であり、前記電気機器本体を使用する際に行なわれる一連の操作によって気体を圧縮することができる。これにより、効率良く気体を圧縮することができる。
【００１１】
本発明にかかる電気機器は、発電を行う燃料電池と、圧縮気体を生成する気体圧縮手段と、前記圧縮気体を貯蔵する圧縮気体貯蔵手段とを備え、前記圧縮気体貯蔵手段に貯蔵された圧縮気体を利用して、前記発電に使用される燃料及び酸化剤のうち少なくとも一方を前記燃料電池に供給する燃料電池システムと、前記燃料電池から電力が供給される電気機器本体とを有することを特徴とする。このような電気機器によれば、電気機器を駆動する際に燃料電池で発電された電力を効率良く使用することができる。したがって、電気機器を一定時間安定して駆動させることが可能となる。
【００１２】
本発明にかかる燃料電池システムは、電気機器本体と一体とされて電気機器を構成し、前記電気機器本体に電力を供給する燃料電池システムであって、発電を行う燃料電池と、前記発電に使用される燃料及び酸化剤のうち少なくとも一方を前記燃料電池に供給するために利用される圧縮気体を生成する気体圧縮手段と、前記気体圧縮手段を駆動するための駆動手段とを備えることを特徴とする。本発明にかかる燃料電池システムによれば、気体圧縮手段を駆動するための電力が殆ど必要とされないことから、発電の際に消費される電力を低減することができる。よって、発電を行うための電力が低減され、燃料電池で発電された電力を効率良く利用することができる。
【００１３】
さらに、本発明にかかる燃料電池システムにおいては、前記圧縮気体を貯蔵する圧縮気体貯蔵手段を備え、当該圧縮気体貯蔵手段に貯蔵された圧縮気体を利用して前記発電に使用される燃料及び酸化剤のうち少なくとも一方を前記燃料電池に供給することもできる。
【００１４】
また、駆動手段は、力学的エネルギーを変換して前記気体圧縮手段を駆動することもできる。さらに、前記駆動手段は、前記電気機器の自重によって生じる力学的エネルギーを変換することもできる。よって、手動で駆動手段を駆動させる場合に限定されず、例えば電気機器を使用するために行われる動作によって力学的エネルギーを生成し、この力学的エネルギーを圧縮気体の生成に利用することで殆ど電力を消費することなく燃料電池に燃料や酸化剤を供給することが可能となる。
【００１５】
本発明にかかる燃料電池システムにおいては、前記駆動手段が、前記力学的エネルギーを発生するエネルギー発生手段と、前記力学的エネルギーを変換して前記気体圧縮手段を駆動するための駆動力を生成する駆動力生成手段とを備えていても良い。前記エネルギー発生手段で発生する力学的エネルギーを駆動力生成手段で変換して利用することにより、燃料電池で発電を行う際に消費される電力を低減することができ、燃料電池で発電された電力を電気機器を駆動するために効率良く利用することができる。また、このようなエネルギー発生手段は、前記電気機器の変位に応じて前記力学的エネルギーを発生することもできる。前記電気機器の変位に応じて前記力学的エネルギーを発生することにより、別途力学的エネルギーを発生させるための操作を行う必要がなくなり、例えば電気機器を使用する際の動作によって気体圧縮手段を駆動させるためのエネルギーを確保することができる。
【００１６】
また、本発明にかかる燃料電池システムにおいては、前記駆動手段は前記電気機器本体の一部が開閉される際の動きに連動して前記気体圧縮手段を駆動することもでき、別途駆動手段を駆動させるための操作を行うことなく電気機器の一部が開閉される動きに合わせて圧縮空気を生成することができる。したがって、電力を殆ど消費することなく圧縮空気を生成することができる。
【００１７】
本発明にかかる電気機器は、発電を行う燃料電池と、前記発電に使用される燃料及び酸化剤のうち少なくとも一方を前記燃料電池に供給するために利用される圧縮気体を生成する気体圧縮手段と、前記気体圧縮手段を駆動するための駆動手段とを備える燃料電池システムと、前記燃料電池から電力が供給される電気機器本体とを有することを特徴とする。本発明にかかる電気機器によれば、気体圧縮手段を駆動するための電力が殆ど必要とされないことから、発電の際に消費される電力を低減することができ、燃料電池で発電された電力を効率良く電気機器の駆動に利用することができる。
【発明の効果】
【００１８】
以上説明したように、本発明にかかる燃料電池システム及びこれを搭載した電気機器によれば、手動で空気を圧縮することから、燃料電池で発電された電力を殆ど消費することなく圧縮空気を生成することができる。さらに、圧縮空気を利用することにより、燃料や空気を燃料電池の発電体に供給するための供給装置や各種補助機器を駆動するための電力を低減することができ、燃料電池の発電効率の向上を図ることができる。
【００１９】
さらに本発明にかかる燃料電池システム及びこれを搭載した電気機器によれば、燃料や酸化剤とされる空気を燃料電池に供給する際に圧縮空気を利用することができ、この圧縮空気を生成する際には電力を殆ど消費することない。よって、燃料電池で発電される電力を効率良く電気機器の駆動に利用することができるとともに、燃料電池の発電効率を高めることも可能となる。
【００２０】
また、電気機器の空いたスペースに、上述した圧縮空気を生成する手動ポンプや圧縮空気を貯蔵する圧縮空気貯蔵タンクを設けることにより、手動ポンプや圧縮空気を設けたことによる電気機器のサイズの増大を招くことがない。さらに、元々電気機器に配設されるマウス、ボタン、ローラー、キー、又はタッチパッドの如き操作部と手動ポンプとを兼用することにより、電気機器のスペースを効率良く利用することができる。したがって、これら操作部及び圧縮空気貯蔵タンクによれば、電気機器のサイズの増大を招くことがなく、手動ポンプや圧縮空気貯蔵タンクを設けることによるサイズの増大が抑制された燃料電池システム及びこれを搭載した電気機器を構成することができる。
【発明を実施するための最良の形態】
【００２１】
以下、本発明にかかる燃料電池システム及び電気機器について図面を参照しながら詳細に説明する。なお、本発明にかかる燃料電池システム及びこれを搭載した電気機器は、本発明の思想の範囲内で適宜変更可能であり、本実施形態で説明する燃料電池システム及びこれを搭載したノート型パーソナルコンピュータに限定されるものではなく、例えば、携帯型電話機、ＰＤＡなどの携帯型電気機器などの各種電気機器にも好適な構成とされる。
[第１の実施の形態]
【００２２】
図１は、本実施形態にかかる電気機器の一例であるノート型パーソナルコンピュータ（以下、ノート型ＰＣと称す。）１０の構成を示す斜視図である。
【００２３】
ノート型ＰＣ１０は、手動ポンプ１、圧縮空気貯蔵タンク２、及び燃料電池３から構成される燃料電池システムと、ノート型ＰＣ本体４から構成される。また、ノート型ＰＣ本体４は、コンピュータ本体部（以下、ＰＣ本体部と称す。）６、モニターが形成された蓋部７、及びヒンジ部５から構成される。さらに、蓋部７は、ヒンジ部５を介してＰＣ本体部６に対して開閉自在とされるようにＰＣ本体部６に接続され、ヒンジ部５及びＰＣ本体部６とともに開閉機構を構成する。
【００２４】
手動ポンプ１は手動圧縮装置の一例であり、空気の如き気体を圧縮する気体圧縮手段とされる。手動ポンプ１は、内部が中空とされるヒンジ部５の内部に設けられており、外形が略円柱形状とされるヒンジ部５の内径に合わせたサイズを備える棒状とされる。手動ポンプ１は、ヒンジ部５の長手方向、すなわち図中矢印Ａ１で示した方向に手動で動かされることにより空気の取り込み、及び空気の圧縮を行い、圧縮空気を生成する。手動ポンプ１は、圧縮空気をヒンジ部５の長手方向に沿った図中矢印Ｂ１で示す方向に沿って送ることにより、この圧縮空気を圧縮空気貯蔵タンク２に供給する。圧縮空気は、ノート型ＰＣ１０を使用する前に手動ポンプ１によって生成することができ、さらに、ノート型ＰＣ１０を使用中に逐次手動ポンプ１を動かして生成されても良い。このように、手動ポンプ１によって圧縮空気を生成することにより、燃料電池３で発電された電力が圧縮空気を生成する際に消費されない。また、手動ポンプ１はヒンジ部５に設けられていることから、ヒンジ部５の内部のスペースを有効に利用することができ、手動ポンプ１を設けた場合でもノート型ＰＣ１０全体のサイズを増大させることもなく、ノート型ＰＣ１０全体の小型化に繋がる。
【００２５】
圧縮空気貯蔵タンク２は、気体圧縮手段とされる手動ポンプ１で生成された圧縮空気を貯蔵する圧縮気体貯蔵手段である。圧縮空気貯蔵タンク２はヒンジ部５に設けられており、ヒンジ部５の内部のスペースを有効に利用することができる。圧縮空気貯蔵タンク２は、逆止弁、及びリリーフ弁を備え、これら弁によりタンク内圧の調整を行う。燃料電池３で発電を行う際には、圧縮空気貯蔵タンク２に貯蔵された圧縮空気を利用することにより、発電に使用される燃料や酸化剤を燃料電池３に供給する。また、発電に必要な燃料は水素の如き流体であり、圧縮空気貯蔵タンク２に貯蔵された圧縮空気を利用することにより流動されて燃料電池３に供給される。また、燃料としては、メタノールの如き流体を用いることも可能であり、水素と同様に圧縮空気により燃料電池３に供給することができる。また、燃料と同様に、酸化剤とされる酸素の如き流体も圧縮空気を利用して燃料電池３に供給される。このように、手動ポンプ１で生成された圧縮空気は、燃料電池３で発電された電力を消費することなく生成されたものであることから、この圧縮空気を一旦圧縮空気貯蔵タンク２に貯蔵して利用することにより燃料電池３の発電効率を高めることが可能となる。
【００２６】
燃料電池３は、ノート型ＰＣ本体４を構成するＰＣ本体部６内に配設され、ノート型ＰＣ本体４を駆動するための電力を発電する。燃料電池３が備える発電体は、圧縮空気貯蔵タンク２に貯蔵された圧縮空気を利用して燃料及び酸化剤が供給されて、発電を行うことができる。
【００２７】
このように、本実施形態にかかる燃料電池システム、及びノート型ＰＣ１０の如き電気機器によれば、燃料や酸化剤を燃料電池に供給するための電力を低減することができ、燃料電池３の発電効率を高めることが可能となる。したがって、電気機器を一定時間安定して駆動することも可能となる。さらに、手動ポンプ１や圧縮空気貯蔵タンク２をヒンジ部５に設けることにより、ノート型ＰＣ１０の空いたスペースを有効に利用することができ、ノート型ＰＣ１０の如き電気機器の小型化にも繋がる。
[第２の実施の形態]
【００２８】
次に、本発明にかかる燃料電池システム、及び電気機器の別の実施形態について説明する。本実施形態にかかるノート型ＰＣ２０は、第１の実施の形態で説明したノート型ＰＣ１０と略同様の構成を有するが、モニターを備える蓋部１７を開閉する際に圧縮空気を生成することができる点に特徴を有する。
【００２９】
図２は、本実施形態にかかるノート型ＰＣ２０の構成を示す斜視図である。ノート型ＰＣ２０は、手動ポンプ１１、圧縮空気貯蔵タンク１２、及び図示しない燃料電池から構成される燃料電池システムと、ノート型ＰＣ本体１４から構成される。なお、燃料電池はＰＣ本体部１６内に配設されている。また、ノート型ＰＣ本体１４は、ＰＣ本体部１６、モニターが形成された蓋部１７、及びヒンジ部１５から構成される。蓋部１７は、ヒンジ部５を介してＰＣ本体部１６に対して開閉自在とされるようにＰＣ本体部１６に接続され、ヒンジ部１５及びＰＣ本体部１６とともに開閉機構を構成する。
【００３０】
手動ポンプ１１は、手動圧縮装置の一例であり、空気の如き気体を圧縮する気体圧縮手段とされる。手動ポンプ１１は、内部が中空とされるヒンジ部５の内部に設けられており、外形が略円柱形状とされるヒンジ部５の内径に合わせたサイズを備える棒状とされる。手動ポンプ１１は、蓋部１７が図中矢印Ａ２で示す方向に手動で開閉されることにより空気の取り込み、及び空気の圧縮を行い、圧縮空気を生成する。ノート型ＰＣ２０を使用する際には、蓋部１７を手動で開いてノート型ＰＣ２０を使用する準備行為を行うことから、電力を殆ど消費することなく圧縮空気を生成することができる。すなわち、蓋部１７を手動で開閉することにより駆動される手動ポンプ１１によって圧縮空気を生成することで、燃料電池によって発電された電力が圧縮空気を生成する際に殆ど消費されないことから、ＰＣ本体部１６内に設けられた燃料電池の発電効率を高めることが可能となる。また、手動ポンプ１１は、図中矢印Ｂ２で示す方向に圧縮空気を送り、ヒンジ部１５の略中央に設けられた圧縮空気貯蔵タンク２に圧縮空気を供給する。手動ポンプ１１はヒンジ部１５に設けられていることから、ヒンジ部１５の空いたスペースを有効に利用することができ、手動ポンプ１１を設けた場合でもノート型ＰＣ２０全体のサイズを増大させることもなく、ノート型ＰＣ２０全体の小型化に繋がる。
【００３１】
圧縮空気貯蔵タンク１２は、気体圧縮手段とされる手動ポンプ１１で生成された圧縮空気を貯蔵する圧縮気体貯蔵手段である。圧縮空気貯蔵タンク１２はヒンジ部１５に設けられており、ヒンジ部１５の内部の空いたスペースを有効に利用することができる。圧縮空気貯蔵タンク１２は、逆止弁、及びリリーフ弁を備え、これら弁によりタンク内圧の調整を行う。ＰＣ本体部１６内に設けられた燃料電池で発電を行う際には、圧縮空気貯蔵タンク１２に貯蔵された圧縮空気を利用することにより、発電に使用される燃料や酸化剤をこの燃料電池に供給することができる。また、発電に必要な燃料は水素の如き流体であり、圧縮空気貯蔵タンク１２に貯蔵された圧縮空気を利用することにより流動されてＰＣ本体部１６内に設けられた燃料電池に供給される。燃料としては、メタノールの如き流体を用いることも可能であり、水素と同様に圧縮空気により燃料電池に供給することができる。さらにまた、燃料と同様に、酸化剤とされる酸素の如き流体も圧縮空気を利用してＰＣ本体部１６内に設けられた燃料電池に供給される。このように、手動ポンプ１１で生成された圧縮空気は、ＰＣ本体部１６内に設けられた燃料電池で発電された電力を消費することなく生成されたものであることから、この圧縮空気を一旦圧縮空気貯蔵タンク１２に貯蔵して利用することにより燃料電池の発電効率を高めることが可能となる。
【００３２】
このように、本実施形態にかかる燃料電池システム、及びノート型ＰＣ２０の如き電気機器によれば、燃料や酸化剤を燃料電池に供給するための電力を低減することができ、燃料電池の発電効率を高めることが可能となる。したがって、電気機器を長時間安定して使用することも可能となる。さらに、手動ポンプ１１や圧縮空気貯蔵タンク１２をヒンジ部１５に設けることにより、ノート型ＰＣ２０の空いたスペースを有効に利用することができる。したがって、ノート型ＰＣ２０のサイズの増大を招くことなく、ノート型ＰＣ２０の小型化にも繋がる。
[第３の実施の形態]
【００３３】
図３は、本実施形態にかかるノート型ＰＣ２０の構成を示す斜視図であり、ノート型ＰＣ３０は、ＰＣ本体部２６に設けられた手動ポンプ２１に荷重を加えることで圧縮気体を生成することができる点に特徴を有する。
【００３４】
ノート型ＰＣ３０は、手動ポンプ２１、圧縮空気貯蔵タンク２２、及び図示しない燃料電池から構成される燃料電池システムと、ノート型ＰＣ本体２４とから構成される電気機器である。なお、燃料電池はＰＣ本体部２６内に配設されている。また、ノート型ＰＣ本体２４は、ＰＣ本体部２６、モニターが設けられた蓋部２７、及びヒンジ部２５から構成される。さらに、蓋部２７は、ヒンジ部２５を介してＰＣ本体部２６に対して開閉自在とされるようにＰＣ本体部２６に接続され、ヒンジ部２５及びＰＣ本体部２６とともに開閉機構を構成する。
【００３５】
手動ポンプ２１は手動圧縮装置の一例であり、空気の如き気体を圧縮する気体圧縮手段とされる。手動ポンプ２１は、ＰＣ本体部２６の上面に臨むように設けられている。ノート型ＰＣ３０のＰＣ本体部２６の上面には、ＰＣ本体部２６に各種情報を入力するためのキー２９やタッチパッド２８が設けられており、手動ポンプ２１は、例えば、これらキー２９及びタッチパッド２８を操作する際に使用者が手を置く領域に設けられる。これにより、手の重さによって手動ポンプ２１に加わる荷重や、図中矢印Ａ３に沿った向きに動かされる手の動きによって手動ポンプ２１が動かされ、手動ポンプ２１による圧縮空気の生成が行われる。また、使用者がノート型ＰＣ３０を使用するための動作により圧縮空気を生成することができることから、別途空気を圧縮する手間を省略することができる。さらにまた、手の荷重や動きによって手動ポンプ２１を動かすことにより、殆ど電力を消費することなく圧縮空気を生成することができ、燃料電池の発電効率を高めることができる。
【００３６】
手動ポンプ２１は、圧縮空気をＰＣ本体部２６の図中矢印Ｂ３で示す方向に沿って送ることにより、この圧縮空気を圧縮空気貯蔵タンク２２に供給する。手動ポンプ２１は、ＰＣ本体部２６の空いたスペースに設けられることから、ノート型ＰＣ３０のスペースに効率良く配設されることになり、ノート型ＰＣ３０のサイズの増大を招くこともない。
【００３７】
圧縮空気貯蔵タンク２２は、気体圧縮手段とされる手動ポンプ１で生成された圧縮空気を貯蔵する圧縮気体貯蔵手段であり、ヒンジ部２５に設けられている。なお、圧縮空気貯蔵タンク２２はＰＣ本体部２６の内部の空いたスペースに設けることも可能である。圧縮空気貯蔵タンク２は、逆止弁、及びリリーフ弁を備え、これら弁によりタンク内圧の調整を行う。
【００３８】
ＰＣ本体部２６に配設された燃料電池で発電を行う際には、圧縮空気貯蔵タンク２２に貯蔵された圧縮空気を利用することにより、発電に使用される燃料や酸化剤をこの燃料電池に供給することができる。また、発電に必要な燃料は水素の如き流体であり、燃料は、圧縮空気貯蔵タンク２２に貯蔵された圧縮空気を利用することにより流動されて燃料電池に供給される。燃料としては、メタノールの如き流体を用いることも可能であり、水素と同様に圧縮空気により燃料電池に供給することもできる。また、燃料と同様に、酸化剤とされる酸素の如き流体を圧縮空気を利用して燃料電池に供給することもできる。このように、手動ポンプ２１で生成された圧縮空気は、電力を消費することなく生成されることから、この圧縮空気を一旦圧縮空気貯蔵タンク２２に貯蔵して利用することにより燃料電池の発電効率を高めることが可能となる。
【００３９】
このように、本実施形態にかかる燃料電池システム、及びノート型ＰＣ３０によれば、燃料や酸化剤を燃料電池に供給するための電力を低減することができ、燃料電池の発電効率を高めることが可能となる。したがって、ノート型ＰＣ３０を長時間安定して使用することも可能となる。さらに、手動ポンプ２１や圧縮空気貯蔵タンク２２をヒンジ部２５やＰＣ本体部２６の空いたスペースに設けることにより、ノート型ＰＣ３０の空いたスペースを有効に利用することができる。よって、ノート型ＰＣ３０のサイズの増大を招くこともなく、ノート型ＰＣ３０の小型化にも繋げることができる。
[第４の実施の形態]
【００４０】
図４は、本実施形態にかかるノート型ＰＣ４０の構成を示す斜視図であり、ノート型ＰＣ４０は、ローラー３１によって空気を圧縮することができる点に特徴を有する。
【００４１】
ノート型ＰＣ４０は、ローラー３１、圧縮空気貯蔵タンク３２、及び図示しない燃料電池から構成される燃料電池システムと、ノート型ＰＣ本体３４から構成される。なお、燃料電池はノート型ＰＣ本体３４を構成するＰＣ本体部３６内に配設されている。また、ノート型ＰＣ本体３４は、ＰＣ本体部３６、モニターが形成された蓋部３７、及びヒンジ部３５から構成される。さらに、蓋部３７は、ヒンジ部３５を介してＰＣ本体部３６に対して開閉自在とされるようにＰＣ本体部３６に接続され、ヒンジ部３５及びＰＣ本体部３６とともに開閉機構を構成する。
【００４２】
ローラー３１は手動圧縮装置の一例であり、空気の如き気体を圧縮する気体圧縮手段とされる。ローラー３１はＰＣ本体部３６に設けられており、蓋部３７に設けられたモニターに表示された画像をスクロールする際に用いられる操作部とされる。ローラー３１は、図中矢印Ａ４で示した方向に手動で動かされることで回転し、モニターに表示された画像をスクロールする。ローラー３１は、回転することにより空気の取り込み、及び空気の圧縮を行い、圧縮空気を生成する。すなわち、手動でローラー３１を動かして空気を圧縮することから、電力を殆ど消費することなく圧縮空気を生成することができ、ＰＣ本体部３６に設けられた燃料電池で発電された電力が圧縮空気を生成する際に殆ど消費されることがない。ローラー３１は、ＰＣ本体部３６内で圧縮空気を図中矢印Ｂ４で示す方向に沿って送ることにより、この圧縮空気を圧縮空気貯蔵タンク３２に供給する。
【００４３】
圧縮空気貯蔵タンク３２は、気体圧縮手段とされるローラー３１で生成された圧縮空気を貯蔵する圧縮気体貯蔵手段である。圧縮空気貯蔵タンク３２はヒンジ部３５に設けられており、ヒンジ部３５の内部の空いたスペースを有効に利用することができる。また、圧縮空気貯蔵タンク３２は、逆止弁、及びリリーフ弁を備え、これら弁によりタンク内圧の調整を行う。なお、圧縮空気貯蔵タンク３２は、ＰＣ本体部３６内の空いたスペースに設けられていても良い。
【００４４】
ＰＣ本体部３６内に設けられた燃料電池で発電を行う際には、圧縮空気貯蔵タンク３２に貯蔵された圧縮空気を利用することにより、発電に使用される燃料や酸化剤を燃料電池に供給する。また、発電に必要な燃料は水素の如き流体であり、圧縮空気貯蔵タンク３２に貯蔵された圧縮空気を利用することにより流動されて燃料電池に供給される。燃料としては、メタノールの如き流体を用いることも可能であり、水素と同様に圧縮空気により燃料電池に供給することができる。また、燃料と同様に、酸化剤とされる酸素の如き流体も圧縮空気を利用して燃料電池に供給される。ローラー３１で生成された圧縮空気は、燃料電池で発電された電力を消費することなく生成されたものであることから、この圧縮空気を一旦圧縮空気貯蔵タンク３２に貯蔵して燃料や酸化剤の供給する際に利用することにより、燃料電池の発電効率を高めることが可能となる。
【００４５】
また、ローラー３１や圧縮空気貯蔵タンク３２は、ヒンジ部３５やＰＣ本体部３６の空いたスペースに配設されることから、ノート型ＰＣ４０のスペースを有効に利用することができ、ローラー３１や圧縮空気貯蔵タンク３２を設けた場合でもノート型ＰＣ４０全体のサイズを増大させることもない。
【００４６】
このように、本実施形態にかかる燃料電池システム、及びノート型ＰＣ４０によれば、燃料や酸化剤を燃料電池に供給するための電力を低減することができ、燃料電池の発電効率を高めることが可能となる。したがって、電気機器を一定時間安定して使用することも可能となる。さらに、ローラー３１や圧縮空気貯蔵タンク３２をヒンジ部３５やＰＣ本体部３６に設けることにより、ノート型ＰＣ４０の空いたスペースを有効に利用することができ、容易に持ち運びすることができるように小型であることが望まれるノート型ＰＣ４０のサイズを増大させることがない。
[第５の実施の形態]
【００４７】
図５は、本実施形態にかかるノート型ＰＣ５０の構成を示す斜視図である。ノート型ＰＣ５０は、キー４９やタッチパッド４８を操作することにより、空気を圧縮して圧縮空気を生成することができる点に特徴を有する。
【００４８】
ノート型ＰＣ５０は、キー４９やタッチパッド４８の如き手動ポンプ、圧縮空気貯蔵タンク４２、及び図示しない燃料電池から構成される燃料電池システムと、ノート型ＰＣ本体４４から構成される。なお、燃料電池はＰＣ本体部４６内に配設されている。また、ノート型ＰＣ本体４４は、ＰＣ本体部４６、モニターが形成された蓋部４７、及びヒンジ部４５から構成される。さらに、蓋部４７は、ヒンジ部４５を介してＰＣ本体部４６に対して開閉自在とされるようにＰＣ本体部４６に接続され、ヒンジ部４５及びＰＣ本体部４６とともに開閉機構を構成する。
【００４９】
キー４９、又はタッチパッド４８は、ＰＣ本体部４６に各種情報を入力するための操作部であるとともに、これらキー４９やタッチパッド４８の操作に連動して空気を圧縮することができる手動ポンプでもある。キー４９、又はタッチパッド４８は、キー操作、又はタッチ操作によって図中矢印Ａ５で示した方向に手動で動かされることにより空気の取り込み、及び空気の圧縮を行い、圧縮空気を生成する。なお、本実施形態のように、キー４９、又はタッチパッド４８自身を手動ポンプとしても良いし、キー４９、又はタッチパッド４８の操作に連動して空気を圧縮する手動ポンプを別途設けることもできる。また、ＰＣ本体部４６に設けられた全てのキー４９を手動ポンプとして機能させても良いし、使用頻度が高いキーを手動ポンプとして機能させることもできる。キー４９、又はタッチパッド４８で生成された圧縮空気は、図中矢印Ｂ５で示す方向に沿って送られ、圧縮空気貯蔵タンク４２に供給される。このように、キー４９、又はタッチパッド４８によって圧縮空気を生成することにより、燃料電池で発電された電力が圧縮空気を生成する際に殆ど消費されない。また、キー４９、又はタッチパッド４８は、ノート型ＰＣ５０を操作するためにＰＣ本体部４６に元々設けられる操作部であることから、ノート型ＰＣ５０のサイズの増大を招くことがない。
【００５０】
圧縮空気貯蔵タンク４２は、キー４９、又はタッチパッド４８によって生成された圧縮空気を貯蔵する圧縮気体貯蔵手段である。圧縮空気貯蔵タンク４２はヒンジ部４５に設けられており、ヒンジ部４５の内部のスペースを有効に利用することができる。圧縮空気貯蔵タンク４２は、逆止弁、及びリリーフ弁を備え、これら弁によりタンク内圧の調整を行う。燃料電池で発電を行う際には、圧縮空気貯蔵タンク４２に貯蔵された圧縮空気を利用することにより、発電に使用される燃料や酸化剤を燃料電池に供給する。また、発電に必要な燃料は水素の如き流体であり、燃料は、圧縮空気貯蔵タンク４２に貯蔵された圧縮空気を利用することにより流動されて燃料電池に供給される。燃料としては、メタノールの如き流体を用いることも可能であり、水素と同様に圧縮空気によりメタノールの如き流体を燃料電池に供給することができる。また、燃料と同様に、酸化剤とされる酸素の如き流体も圧縮空気を利用して燃料電池に供給される。このように、キー４９、又はタッチパッド４８で生成された圧縮空気は燃料電池で発電された電力を殆ど消費することなく生成されることから、この圧縮空気を一旦圧縮空気貯蔵タンク４２に貯蔵し、貯蔵された圧縮空気を燃料や酸化剤を燃料電池の発電体に供給する際に利用することにより、燃料電池の発電効率を高めることが可能となる。
【００５１】
このように、本実施形態にかかる燃料電池システム、及びノート型ＰＣ５０によれば、燃料や酸化剤を燃料電池に供給するための電力を低減することができ、燃料電池の発電効率を高めることが可能となる。したがって、電気機器を長時間安定して使用することも可能となる。さらに、キー４９、又はタッチパッド４８、圧縮空気貯蔵タンク４２は、ノート型ＰＣ５０の空いたスペースを有効に利用して設けられることから、ノート型ＰＣ５０のサイズを増大させることがなく、ノート型ＰＣ５０を容易に持ち運ぶことができる。したがって、ノート型ＰＣ５０を携帯性に優れたものとすることができる。
[第６の実施の形態]
【００５２】
図６は、本実施形態にかかるノート型ＰＣ６０の構成を示す斜視図であり、ノート型ＰＣ６０は、マウスの操作により空気を圧縮して圧縮空気を生成することができる点に特徴を有する。
【００５３】
ノート型ＰＣ６０は、ＰＣ本体部５６に各種情報を入力するための操作部とされるマウス５３、圧縮空気貯蔵タンク５２、及び図示しない燃料電池から構成される燃料電池システムと、ノート型ＰＣ本体５４から構成される。なお、燃料電池はＰＣ本体部５６内に配設されている。また、マウス５３は、ノート型ＰＣ６０に後付けされて接続することができ、ノート型ＰＣ６０を使用する際に接続できるようにノート型ＰＣ６０に着脱自在とすることもできる。
【００５４】
ノート型ＰＣ本体５４は、ＰＣ本体部５６、モニターが形成された蓋部５７、及びヒンジ部５５から構成される。さらに、蓋部５７は、ヒンジ部５５を介してＰＣ本体部５６に対して開閉自在とされるようにＰＣ本体部５６に接続され、ヒンジ部５５及びＰＣ本体部５６とともに開閉機構を構成する。
【００５５】
マウス５３は、ＰＣ本体部５６に各種情報を入力するためボタン５１を有している。ボタン５１は手動圧縮装置の一例であり、空気の如き気体を圧縮する気体圧縮手段とされる。ボタン５１は、クリックされることにより図中矢印Ａ６で示した方向に動かされる。これにより、ボタン５１は、空気の取り込み、及び空気の圧縮を行い、圧縮空気を生成することができる。また、マウス５３を机上の如き平面上で動かすことにより蓋部５７に設けられたモニターをスクロールする際に空気を圧縮しても良い。マウス５３で生成された圧縮空気は、マウス５３とノート型ＰＣ本体５４とを接続するケーブル５８内に信号線と共に併設されたチューブを介して図中矢印Ｂ６で示す方向に沿って送られる。マウス５３に設けられたボタン５１のクリック操作やマウス５３によるスクロールは手動で行われることから、燃料電池で発電された電力がこの圧縮空気を生成する際に殆ど消費されることがない。また、ボタン５１やマウス５３は、ノート型ＰＣ６０を操作する際に元々設けられる操作部であることから、ノート型ＰＣ１０全体のサイズを増大させることもなく、手動で空気を圧縮することができる。
【００５６】
圧縮空気貯蔵タンク５２は、気体圧縮手段とされるマウス５３やボタン５１で生成された圧縮空気を貯蔵する圧縮気体貯蔵手段である。圧縮空気貯蔵タンク５２はヒンジ部５５に設けられており、ヒンジ部５５に接続されたケーブル５８を介して圧縮空気が供給される。圧縮空気貯蔵タンク５２は、ヒンジ部５５の内部に設けられることから、ノート型ＰＣ６０の空いたスペースを有効に利用することができ、ノート型ＰＣ６０のサイズの増大を招くことがない。また、圧縮空気貯蔵タンク５２は、逆止弁、及びリリーフ弁を備え、これら弁によりタンク内圧の調整を行うことができる。ＰＣ本体部５６内に配設された燃料電池で発電を行う際には、圧縮空気貯蔵タンク５２に貯蔵された圧縮空気を利用することにより、発電に使用される燃料や酸化剤を燃料電池に供給することができる。発電に必要な燃料は水素の如き流体であり、水素は圧縮空気貯蔵タンク５２に貯蔵された圧縮空気を利用することにより流動されて燃料電池３に供給される。また、燃料としてはメタノールの如き流体を用いることも可能であり、水素と同様に圧縮空気により燃料電池に供給することができる。燃料と同様に、酸化剤とされる酸素の如き流体も圧縮空気を利用して燃料電池に供給される。このように、マウス５３、又はボタン５１の如き手動ポンプによって生成された圧縮空気は、燃料電池で発電された電力を消費することなく生成されたものであることから、この圧縮空気を一旦圧縮空気貯蔵タンク５２に貯蔵して利用することにより燃料電池の発電効率を高めることが可能となる。
【００５７】
このように、本実施形態にかかる燃料電池システム、及びノート型ＰＣ６０によれば、燃料や酸化剤を燃料電池に供給するための電力を低減することができ、燃料電池の発電効率を高めることが可能となる。したがって、電気機器を長時間安定して使用することも可能となる。さらに、マウス５３やボタン５１は元々ノート型ＰＣ６０を操作するための操作部であることから、マウス５３やボタン５１を手動ポンプとして兼用した場合でもノート型ＰＣ６０のサイズの増大を招くことがない。
[第７の実施の形態]
【００５８】
図７は、本実施形態にかかるノート型ＰＣ７０の構成を示す斜視図であり、ノート型ＰＣ７０はマウス６３に設けられたローラー６１を手動で回転させることにより空気を圧縮することができる点に特徴を有する。
【００５９】
ノート型ＰＣ７０は、ＰＣ本体部６６に各種情報を入力するための操作部とされるマウス６３、圧縮空気貯蔵タンク６２、及び図示しない燃料電池から構成される燃料電池システムと、ノート型ＰＣ本体６４から構成される。なお、燃料電池はＰＣ本体部６６内に配設されている。また、燃料電池はＰＣ本体部６６内に配設されている。また、マウス６３は、ノート型ＰＣ７０に後付けされて接続することができ、ノート型ＰＣ７０を使用する際に接続できるようにノート型ＰＣ７０に着脱自在とすることもできる。
【００６０】
また、ノート型ＰＣ本体６４は、ＰＣ本体部６６、モニターが形成された蓋部６７、及びヒンジ部６５から構成される。さらに、蓋部６７は、ヒンジ部６５を介してＰＣ本体部６６に対して開閉自在とされるようにＰＣ本体部６６に接続され、ヒンジ部６５及びＰＣ本体部６６とともに開閉機構を構成する。
【００６１】
マウス６３は、ＰＣ本体部６６に各種情報を入力するためローラー６１を有している。ローラー６１は手動圧縮装置の一例であり、空気の如き気体を圧縮する気体圧縮手段とされる。ローラー６１は手動で動かされ、図中矢印Ａ７で示した方向に回転自在とされる。ローラー６１が回転することにより、ローラー６１による空気の取り込み、及び空気の圧縮が行われ、圧縮空気を生成することができる。また、マウス６３を机上の如き平面上で動かすことにより蓋部６７に設けられたモニターをスクロールする際に空気を圧縮しても良い。ローラー６１で生成された圧縮空気は、マウス６３とノート型ＰＣ本体６４とを接続するケーブル６８内に信号線と共に併設されたチューブを介して図中矢印Ｂ７で示す方向に沿って送られる。マウス６３に設けられたローラー６１の操作は手動で行われることから、燃料電池で発電された電力がこの圧縮空気を生成する際に殆ど消費されることがない。また、ローラー６１やマウス６３は、ノート型ＰＣ７０を操作するために元々設けられる操作部であることから、ノート型ＰＣ７０全体のサイズを増大させることもない。
【００６２】
圧縮空気貯蔵タンク６２は、気体圧縮手段とされるローラー６１で生成された圧縮空気を貯蔵する圧縮気体貯蔵手段である。圧縮空気貯蔵タンク６２はヒンジ部６５に設けられており、ヒンジ部６５に接続されたケーブル６８を介して圧縮空気が供給される。圧縮空気貯蔵タンク６２は、ヒンジ部６５の内部に設けられることから、ノート型ＰＣ７０の空いたスペースを有効に利用することができ、ノート型ＰＣ７０のサイズの増大を招くことがない。また、圧縮空気貯蔵タンク６２は、逆止弁、及びリリーフ弁を備え、これら弁によりタンク内圧の調整を行うことができる。ＰＣ本体部６６内に配設された燃料電池で発電を行う際には、圧縮空気貯蔵タンク６２に貯蔵された圧縮空気を利用することにより、発電に使用される燃料や酸化剤を燃料電池に供給することができる。発電に必要な燃料は水素の如き流体であり、水素は圧縮空気貯蔵タンク６２に貯蔵された圧縮空気を利用することにより流動されて燃料電池に供給される。また、燃料としては、メタノールの如き流体を用いることも可能であり、水素と同様に圧縮空気により燃料電池に供給することができる。燃料と同様に、酸化剤とされる酸素の如き流体も圧縮空気を利用して燃料電池に供給される。このように、ローラー６１の如き手動ポンプによって生成された圧縮空気は、燃料電池で発電された電力を消費することなく生成されたものであることから、この圧縮空気を一旦圧縮空気貯蔵タンク６２に貯蔵して利用することにより燃料電池の発電効率を高めることが可能となる。
【００６３】
このように、本実施形態にかかる燃料電池システム、及びノート型ＰＣ７０によれば、燃料や酸化剤を燃料電池に供給するための電力を低減することができ、燃料電池の発電効率を高めることが可能となる。したがって、電気機器を長時間安定して使用することも可能となる。さらに、マウス６３やローラー６１は元々ノート型ＰＣ７０を操作するための操作部であることから、マウス６３やローラー６１を手動ポンプとして兼用した場合でもノート型ＰＣ７０のサイズの増大を招くことがない。
[第８の実施の形態]
【００６４】
図８は、本実施形態にかかる電気機器の一例であるノート型ＰＣ８０の構成を示す斜視図である。本実施形態にかかるノート型ＰＣ８０は、つまみ部８９に連結された図示しないぜんまいによってポンプ８１を駆動して圧縮空気を生成する点に特徴を有する。
ノート型ＰＣ８０は、ポンプ８１、圧縮空気貯蔵タンク８２、発電ユニット８３、つまみ部８９、及びつまみ部８９に連結されたぜんまいとからなる燃料電池システムと、ノート型ＰＣ本体８４から構成される。発電ユニット８３は燃料電池によって発電を行う。また、ノート型ＰＣ本体８４は、ＰＣ本体部８６、モニターが形成された蓋部８７、及びヒンジ部８５から構成される。さらに、蓋部８７は、ヒンジ部８５を介してＰＣ本体部８６に対して開閉自在とされるようにＰＣ本体部８６に接続され、ヒンジ部８５及びＰＣ本体部８６とともに開閉機構を構成する。
【００６５】
つまみ部８９は図中Ａ８方向に回転されることにより、つまみ部８９に連結されたぜんまいに巻き上げる。この巻き上げられたぜんまいに蓄えられた弾性エネルギーによってポンプ８１を駆動することができる。すなわち、つまみ部８９では、つまみ部８９を回転されることで回転力の如き力学的エネルギーが発生し、この力学的エネルギーをぜんまいで変換することでポンプ８１を駆動するための駆動力を生成することができる。例えば、使用者がノート型ＰＣ８０を使用する前につまみ部８９を回転させてぜんまいを巻き上げ、この巻き上げられたぜんまいの弾性エネルギーを利用してポンプ８１を駆動させることができる。これにより、発電ユニット８３で発電された電力を用いることなく、圧縮空気を生成することが可能となる。このように、つまみ部８９がエネルギー発生手段とされるとともに、つまみ部８９に連結されるぜんまいが駆動力生成手段とされ、これら２つでポンプ８１を駆動する駆動手段を構成する。また、本実施形態では、ぜんまいに蓄積された弾性エネルギーを利用してポンプ８１を駆動しているが、ノート型ＰＣ８０の外部から供給されるエネルギーを駆動力に変換することができる駆動手段であればいかなるエネルギー発生手段及び駆動力生成手段を有していても適用可能であることは勿論である。
【００６６】
ポンプ８１は、空気の如き気体を圧縮する気体圧縮手段とされ、ヒンジ部８５の空いたスペースに設けられている。ポンプ８１は、圧縮空気をヒンジ部８５の長手方向に沿った図中矢印Ｂ８で示す方向に沿って送ることにより、この圧縮空気をヒンジ部８５に設けられた圧縮空気貯蔵タンク８２に供給する。圧縮空気はＰＣ本体部８６に設けられた経路ｂ８１を介して燃料タンク８８に供給される。燃料タンク８８は、経路ｂ８３を介して発電ユニット８３へ燃料の供給する際にこの圧縮空気を利用する。また、圧縮空気貯蔵タンク８２に一旦貯蔵された圧縮空気、又はポンプ８１で生成された圧縮空気がＰＣ本体部８６に設けられた経路ｂ８２を介して発電ユニット８３に供給されることにより、発電ユニット８３を構成する燃料電池に酸化剤とされる空気を供給することもできる。
【００６７】
圧縮空気貯蔵タンク８２は、逆止弁、及びリリーフ弁を備え、これら弁によりタンク内圧の調整を行うことができる。これにより、所要の圧力とされる圧縮空気を燃料タンク８８、又は発電ユニット８３に供給することができる。
【００６８】
また、ポンプ８１は発電ユニット８３で発電された電力を殆ど消費することなく圧縮空気を生成することができるとともに、圧縮空気貯蔵タンク８２、ポンプ８１、つまみ部８９及びつまみ部８９に連結されたぜんまいはヒンジ部８５の空いたスペースを利用して配置されるため、ノート型ＰＣ８０全体のサイズを増大させることもなく、ノート型ＰＣ８０全体の小型化にも繋がる。なお、つまみ部８９及びこれに接続されるぜんまいはヒンジ部８５に設けられる場合に限定されないことは言うまでもない。
【００６９】
このように、本実施形態にかかる燃料電池システム、及びノート型ＰＣ８０の如き電気機器によれば、発電ユニット８３で発電された電力を殆ど消費することがなく圧縮空気を生成することができ、燃料や酸化剤を燃料電池に供給するための電力を低減することができる。これにより発電ユニット８３を構成する燃料電池の電力を有効に利用して発電効率を高めることが可能となる。さらに、ポンプ８１や圧縮空気貯蔵タンク８２、つまみ部８９、及びつまみ部８９に連結されるぜんまいをヒンジ部８５に設けることにより、ノート型ＰＣ８０の空いたスペースを有効に利用することができ、ノート型ＰＣ８０の如き電気機器の小型化にも繋がる。また、本実施形態ではノート型ＰＣ８０を例に挙げて説明したが、本発明にかかる電気機器の構成は、ノート型ＰＣに限定されず、携帯型電話やＰＤＡの如き携帯可能な電気機器にも適用可能であることは勿論である。
[第９の実施の形態]
【００７０】
図９は、本実施形態にかかるノート型ＰＣ９０の構成を示す斜視図であり、ノート型ＰＣ９０は、ローラー９９に組み込まれたぜんまいを利用して空気を圧縮することができる点に特徴を有する。
【００７１】
ノート型ＰＣ９０は、ローラー９９、ローラー９９に連結された図示しないぜんまい、燃料電池を備える発電ユニット９３、及びポンプ９１を備える燃料電池システムと、ノート型ＰＣ本体９４を有する。また、ノート型ＰＣ本体９４は、ＰＣ本体部９６、モニターが形成された蓋部９７、及びヒンジ部９５から構成される。さらに、蓋部９７は、ヒンジ部９５を介してＰＣ本体部９６に対して開閉自在とされるようにＰＣ本体部９６に接続され、ヒンジ部９５及びＰＣ本体部９６とともに開閉機構を構成する。
【００７２】
ローラー９９はＰＣ本体部９６に設けられており、蓋部９７に設けられたモニターに表示された画像をスクロールする際に用いられる操作部とされる。ローラー９９は、図中矢印Ａ９で示した方向に手動で動かされることで回転し、モニターに表示された画像をスクロールする。ローラー９９の回転力の如き力学的エネルギーは、ローラー９９に組み込まれたぜんまいが巻き上げられることで弾性エネルギーとして蓄積される。このぜんまいは、蓄積された弾性エネルギーをポンプ９１を駆動させるための駆動力に変換する。このように、ローラー９９は、外部から加えられる力に応じてぜんまいを巻き上げる力学的エネルギーを発生するエネルギー発生手段とされ、このぜんまいはローラー９９で発生したエネルギーをポンプ９１を駆動するための駆動力に変換する駆動力生成手段とされる。すなわち、発電ユニット９３で発電された電力を殆ど消費することなく、ローラー９９を回転させることで圧縮空気を生成することが可能となる。また、ローラー９９は、ノート型ＰＣ９０を使用する際に操作されることから、別途ポンプ９１を駆動させるためのエネルギーを要することなく、ノート型ＰＣ９０を使用するための一連の操作によりポンプ９１を駆動することができる。
【００７３】
ポンプ９１はＰＣ本体部９６内部に設けられ、ポンプ９１で生成された圧縮空気はＰＣ本体部９６に設けられた経路ｂ９３を介して圧縮空気貯蔵タンク９２に供給される。
【００７４】
圧縮空気貯蔵タンク９２は逆止弁、及びリリーフ弁を備え、これら弁によりタンク内圧の調整を行うことができる。圧縮空気貯蔵タンク９２は、貯蔵した圧縮空気をＰＣ本体部９６に設けられた経路ｂ９１を介して燃料タンクに供給し、燃料タンク９８は供給された圧縮空気を利用することにより経路ｂ９４を介して燃料を発電ユニット９３に供給する。圧縮空気貯蔵タンク９２は、圧縮空気を経路ｂ９２を介して発電ユニット９３に供給することにより酸化剤とされる空気を発電ユニット９３に供給する。これにより、発電ユニット８３を構成する燃料電池で発電を行うことが可能となる。
【００７５】
このように、ローラー９９を操作することにより生成された圧縮空気は発電ユニットで発電された電力を消費することなく生成されたものであることから、この圧縮空気を一旦圧縮空気貯蔵タンク３２に貯蔵して燃料や酸化剤を供給する際に利用することにより、電力の消費を低減することができる。これにより、発電ユニット９３の電力を有効に利用しながら、発電ユニット９３を構成する燃料電池の発電効率を高めることも可能となる。
[第１０の実施の形態]
【００７６】
図１０は、本実施形態にかかるノート型ＰＣ１００の構成を示す斜視図であり、ノート型ＰＣ１００は、マウス１５３に設けられたローラー１０１に組み込まれたぜんまいによってポンプ１０９を駆動して空気を圧縮することができる点に特徴を有する。
【００７７】
ノート型ＰＣ１００は、ＰＣ本体部１０６に各種情報を入力するための操作部とされるマウス１５３、発電ユニット１０３を構成する燃料電池、及びマウス１５３に設けられたポンプ１０９を備える燃料電池システムと、ノート型ＰＣ本体１０４を有する。なお、発電ユニット１０３が有する燃料電池は図示していない。また、マウス１５３は、ノート型ＰＣ１００に後付けされて接続することができ、ノート型ＰＣ１００を使用する際に接続できるようにノート型ＰＣ１００に着脱自在とすることもできる。
【００７８】
ノート型ＰＣ本体１０４は、ＰＣ本体部１０６、モニターが形成された蓋部１０７、及びヒンジ部１０５から構成される。さらに、蓋部１０７は、ヒンジ部１０５を介してＰＣ本体部１０６に対して開閉自在とされるようにＰＣ本体部１０６に接続され、ヒンジ部１０５及びＰＣ本体部１０６とともに開閉機構を構成する。
【００７９】
マウス１５３は、ＰＣ本体部１０６に各種情報を入力するためローラー１０１を有している。ローラー１０１は手動で動かされ、図中矢印Ａ１０で示した方向に回転自在とされる。ローラー１０１が回転することにより、ローラー１０１に組み込まれたぜんまいが巻き上げられ、弾性エネルギーが蓄積される。また、マウス１５３を机上の如き平面上で動かすことにより、蓋部１０７に設けられたモニターをスクロールする際にぜんまいに弾性エネルギーを蓄積することもできる。このぜんまいは、弾性エネルギーによってポンプ１０９を駆動する。すなわち、第９の実施形態で説明したローラー９９と同様に、ローラー１０１の回転させることによってポンプ１０９を駆動することができる。したがって、発電ユニット１０３で発電された電力を殆ど消費することなく、ポンプ１０９は圧縮空気を生成することができる。また、ローラー１０１やマウス１５３は、ノート型ＰＣ１００を操作するために元々設けられる操作部であることから、ノート型ＰＣ１００全体のサイズを増大させることもない。ローラー１０１で生成された圧縮空気は、マウス１５３とノート型ＰＣ本体１０４とを接続するケーブル１５８内に信号線と共に併設されたチューブを介して図中矢印Ｂ１０で示す方向に沿って送られる。
【００８０】
圧縮空気貯蔵タンク１０２は、ポンプ１０９で生成された圧縮空気を貯蔵する圧縮気体貯蔵手段であり、逆止弁、及びリリーフ弁を備え、これら弁によりタンク内圧の調整を行うことができる。また、圧縮空気貯蔵タンク１０２はヒンジ部１０５に設けられており、ヒンジ部１０５に接続されたケーブル１５８を介して圧縮空気が供給される。さらに、圧縮空気貯蔵タンク１０２は、ヒンジ部１０５の内部に設けられることから、ノート型ＰＣ１００の空いたスペースを有効に利用することができ、ノート型ＰＣ１００のサイズの増大を招くことがない。
【００８１】
圧縮空気貯蔵タンク１０２は、第９の実施形態と同様に貯蔵した圧縮空気をＰＣ本体部１０６内に設けられた経路ｂ１０１を介して燃料タンク１０８に供給し、燃料タンク１０８は供給された圧縮空気を利用することにより経路ｂ１０２を介して燃料を発電ユニット１０３に供給する。また、圧縮空気貯蔵タンク１０２は、経路ｂ１０３を介して圧縮空気を発電ユニット１０３に供給することにより酸化剤とされる空気を発電ユニット１０３に供給する。これにより、発電ユニット１０３が有する燃料電池で発電を行うことが可能となる。
【００８２】
このように、本実施形態にかかる燃料電池システム、及びノート型ＰＣ１００によれば、マウス１５３に設けられたローラー１０１を操作することにより圧縮空気が生成される。この圧縮空気は発電ユニット１０３で発電された電力を消費することなく生成されたものであり、この圧縮空気を一旦圧縮空気貯蔵タンク１０２に貯蔵して燃料や酸化剤を供給する際に利用することにより、電力の消費を低減することができる。これにより、発電ユニット１０３の電力を有効に利用しながら、発電ユニット１０３を構成する燃料電池の発電効率を高めることも可能となる。
[第１１の実施の形態]
【００８３】
図１１は、本実施形態にかかるノート型ＰＣ１１０の構成を示す斜視図である。ノート型ＰＣ１１０は、ぜんまいとこのぜんまいに連動した振り子とからなる振り子式ぜんまい１１１と、この振り子式ぜんまい１１１によって駆動されるポンプと、ポンプが生成する圧縮空気を利用して発電が行われる発電ユニット１１３とを有する燃料電池システムを備える。ノート型ＰＣ１１０は、振り子の振れを利用して圧縮空気を生成することができる点に特徴を有する。
【００８４】
振り子式ぜんまい１１１は、振り子の振れに応じてぜんまいを巻き上げることでぜんまいに弾性エネルギーを蓄積してポンプの駆動力として利用する。振り子式ぜんまい１１１は、振れによって力学的エネルギーを発生する振り子と、この力学的エネルギーを弾性エネルギーとして蓄積してポンプを駆動するための駆動力に変換するぜんまいとから構成される。振り子式ぜんまい１１１は、例えばモニターが設けられた蓋部１１７に設けられており、図中Ａ１１で示す方向に振れる。振り子式ぜんまい１１１は、ノート型ＰＣ１１０を移動させたり、ノート型ＰＣ１１０に振動を与えたりした際に生じた振れによってぜんまいを巻き上げる機構を備える。
【００８５】
また、蓋部１１７は、ヒンジ部１１５を介してＰＣ本体部１１６に対して開閉自在とされるようにＰＣ本体部１１６に接続され、ヒンジ部１１５及びＰＣ本体部１１６とともに開閉機構を構成することから、蓋部１１７を開閉する際の振り子の振れを利用してぜんまいを巻き上げることもできる。すなわち、この振り子は、ノート型ＰＣ１１０の如き電気機器の変位に応じて力学的エネルギーを発生する力学的エネルギー発生手段とされ、ぜんまいはこの力学的エネルギーを弾性エネルギーとして蓄積した後、ポンプの駆動力に変換してポンプの駆動力を生成する駆動力生成手段とされる。振り子式ぜんまい１１１を用いることにより、発電ユニット１１３で発電された電力を殆ど消費することなく圧縮空気を生成することができる。なお、振り子は蓋部１１７に限定されず、ノート型ＰＣ１１０の所要の位置に配設することができる。
【００８６】
また、振り子式ぜんまい１１１によって駆動されるポンプは、振り子を用いることなく直接ぜんまいを巻き上げることで駆動されるぜんまい式ポンプでも良い。なお、振り子式ぜんまい１１１によって駆動されるポンプは図示されていないが、ノート型ＰＣ１１０の所要の位置に配設することができ、本実施形態のノート型ＰＣ１１０においては振り子式ぜんまい１１１と連結された一体構造として示されており、このポンプから圧縮空気が圧縮空気貯蔵タンク１１２に供給される。ポンプは、蓋部１１７に設けられた経路ｂ１１１を介して圧縮空気を圧縮空気貯蔵タンク１１２に供給する。
【００８７】
圧縮空気貯蔵タンク１１２は、ヒンジ部１１５の空いたスペースに配設されており、逆止弁、及びリリーフ弁を備え、これら弁によりタンク内圧の調整を行うことができる。圧縮空気貯蔵タンク１１２は、ＰＣ本体部１１６に設けられた経路ｂ１１２を介して燃料タンク１１８に圧縮空気を供給し、燃料タンク１１８はこの圧縮空気を利用し発電ユニット１１３に燃料を供給する。発電ユニット１１３への燃料の供給は、ＰＣ本体部１１６に設けられた経路ｂ１１４を介して行われる。また、圧縮空気貯蔵タンク１１２は、経路ｂ１１３を介して貯蔵した圧縮空気を発電ユニット１１３に供給する。したがって、圧縮空気を利用して燃料及び酸化剤とされる空気が発電ユニット１１３に供給されることとなり、発電ユニット１１３が有する燃料電池で発電を行うことができる。
【００８８】
このように、本実施形態にかかる燃料電池システム、及びノート型ＰＣ１１０によれば、ノート型ＰＣ１１０に設けられた振り子式ぜんまい１１１によって駆動されるポンプによって圧縮空気を生成することができる。この圧縮空気は、発電ユニットで発電された電力を消費することなく生成されたものであり、この圧縮空気を一旦圧縮空気貯蔵タンク１１２に貯蔵して燃料や酸化剤を供給する際に利用することにより、電力の消費を低減することができる。これにより、発電ユニット１１３の電力を有効に利用しながら、発電ユニット１１３が有する燃料電池の発電効率を高めることも可能となる。
[第１２の実施の形態]
【００８９】
図１２は、本実施形態にかかるノート型ＰＣ１２０の構成を示す断面図である。ノート型ＰＣ１２０は、ＰＣ本体部１２６の内部に設けられたポンプ１２９、ＰＣ本体部１２６の底部１２６ａに設けられたピストン１２１を有しており、ノート型ＰＣ１２０を平坦面Ｓ１に載置した際にピストン１２１が押し込まれてポンプ１２９が駆動される点に特徴を有する。なお、ＰＣ本体部１２６には図示しない燃料電池が配設されている。
【００９０】
図１２（ａ）に示すように、ノート型ＰＣ１２０は、ポンプ１２９、ピストン１２１、及びポンプ１２９で生成された圧縮空気を貯蔵する圧縮空気貯蔵タンク１２２を備えるＰＣ本体部１２６を有する。ＰＣ本体部１２６はヒンジ部１２５を介して開閉自在に接続され蓋部１２７とともにノート型ＰＣ本体１２４を構成する。また、ＰＣ本体部１２６は、その内部に図示しない燃料電池とを有する。ＰＣ本体部１２６に配設される燃料電池は、圧縮空気を生成するポンプ１２９、及びピストン１２１とともに燃料電池システムを構成する。
【００９１】
図１２（ｂ）に示すように、ノート型ＰＣ１２０を平坦面Ｓ１に載置した際に、ピストン１２１は平坦面Ｓ１によってＰＣ本体部１２６の内部に押し込まれてポンプ１２９を駆動する。ピストン１２１は、平坦面Ｓ１からノート型ＰＣ１２０の自重に応じた力を受け、ＰＣ本体部１２６の内部に押し込まれる。すなわち、ピストン１２１は、ノート型ＰＣ１２０の自重の如き力学的エネルギーを利用してポンプ１２９を駆動する駆動手段とされる。ポンプ１２９はピストン１２１によって駆動されることにより電力を消費することなく圧縮空気を生成する。また、ピストン１２１は、ノート型ＰＣ１２０の自重のみによって押し込まれる場合に限定されず、手動でピストン１２１を直接押し込んでも良いし、ノート型ＰＣ１２０の自重に加えてさらにノート型ＰＣ１２０の上側から加えられる荷重によって押し込まれても良い。また、ピストン１２１に連動して圧縮空気が生成される場合に限定されず、例えばＰＣ本体部１２６に着脱自在とされる燃料タンクに連動してポンプを駆動して圧縮空気を生成することもできる。
【００９２】
圧縮空気貯蔵タンク１２２は、逆止弁、及びリリーフ弁を備え、これら弁によりタンク内圧の調整を行うことができる。圧縮空気貯蔵タンク１２２は、ポンプ１２９から経路Ｂ１２を介して圧縮空気の供給を受ける。圧縮空気貯蔵タンク１２２は、貯蔵した圧縮空気を利用して燃料や空気を燃料電池に供給し、燃料電池による発電が行われる。
【００９３】
このように、本実施形態にかかる燃料電池システム、及びノート型ＰＣ１２０によれば、ノート型ＰＣ１２０に設けられたピストン１２１で駆動されるポンプ１２９によって圧縮空気を生成することができる。この圧縮空気は、燃料電池で発電された電力を消費することなく生成されたものである。したがって、この圧縮空気を利用することにより、燃料電池で発電された電力を殆ど消費することなく発電の際に必要とされる燃料や酸化剤を供給することができる。このような機構を備える燃料電池システム、及びこの燃料電池システムを備えるノート型ＰＣ１２０は、燃料電池の電力を有効に利用しながら燃料電池の発電効率を高めることも可能となる。
[第１３の実施の形態]
【００９４】
図１３は、本実施形態にかかるノート型ＰＣ１３０の構成を示す断面図である。ノート型ＰＣ１３０は、ＰＣ本体部１３６内部から放熱するためのフラップ１３１を有し、フラップ１３１の開閉に連動して圧縮空気を生成することができる点に特徴を有する。フラップ１３１はモニターが設けられた蓋部１３７の開閉に連動して開閉され、ＰＣ本体部１３６内部の放熱部を外部に開放することによりＰＣ本体部１３６内部から放熱する。フラップ１３１は、ＰＣ本体部１３６内部に配設されたポンプの如き気体圧縮手段と連動しており、フラップ１３１が開閉されることによりこのポンプが圧縮空気を生成する。
【００９５】
図１３（ａ）に示すように、ノート型ＰＣ１３０が平坦面Ｓ２に載置されている場合、フラップ１３１は閉じられている。図１３（ｂ）に示すように、蓋部１３７を図中Ａ１３で示す方向に開いた際に、この蓋部１３７の動きに連動してフラップ１３１が図中ａ１３方向に開き、ノート型ＰＣ１３０がチルトアップされ、ＰＣ本体部１３６に設けられた放熱部から放熱することができる。フラップ１３１が開かれると、これに連動してポンプが駆動されて圧縮空気が生成される。なお、このポンプはＰＣ本体部１３６に配設されている。すなわち、ノート型ＰＣ１３０は、フラップ１３１が開閉される際のフラップ１３１の動きを利用してポンプを駆動することができ、燃料電池で発電される電力を殆ど消費することなく圧縮気体を生成することができる。この圧縮気体を利用して燃料電池の発電に必要とされる燃料や酸化剤を供給することにより、燃料電池の発電効率を高めることができる。
【００９６】
また、圧縮空気は圧縮空気貯蔵タンク１３２に供給されて一旦貯蔵される。圧縮空気貯蔵タンク１３２は、逆止弁やリリーフ弁を備え、タンク内圧を調整することもできる。圧縮空気貯蔵タンク１３２に貯蔵された圧縮空気は、圧力が調整された状態でＰＣ本体部１３６に配設された燃料電池への燃料や空気の供給に利用される。
【００９７】
このように、本実施形態にかかる燃料電池システム、及びノート型ＰＣ１３０は、ノート型ＰＣ１３０に設けられたフラップ１３１の動きに連動して駆動されるポンプを有し、このポンプによって圧縮空気を生成することができる。この圧縮空気は、燃料電池で発電された電力を消費することなく生成されたものである。したがって、この圧縮空気を利用することにより、燃料電池で発電された電力を殆ど消費することなく発電の際に必要とされる燃料や酸化剤を供給することができる。このような機構を備える燃料電池システム、及びこの燃料電池システムを備えるノート型ＰＣ１３０は、燃料電池の電力を有効に利用しながら燃料電池の発電効率を高めることも可能となる。
[第１４の実施の形態]
【００９８】
図１４は、本実施形態にかかる電気機器の一例であるノート型ＰＣ１４０の構成を示す斜視図である。ノート型ＰＣ１４０は、手動ポンプ１４１を駆動させることによりノート型ＰＣ１４０の電源がオン状態とすることができる点に特徴を有する。
【００９９】
ノート型ＰＣ１４０は、手動ポンプ１４１、圧縮空気貯蔵タンク１４２、及び燃料電池を含む発電ユニット１４３から構成される燃料電池システムと、ノート型ＰＣ本体１４４を備える。また、ノート型ＰＣ本体１４４は、ＰＣ本体部１４６、モニターが形成された蓋部１４７、及びヒンジ部１４５から構成される。さらに、蓋部１４７は、ヒンジ部１４５を介してＰＣ本体部１４６に対して開閉自在とされるようにＰＣ本体部１４６に接続され、ヒンジ部１４５及びＰＣ本体部１４６とともに開閉機構を構成する。
【０１００】
手動ポンプ１４１は手動圧縮装置の一例であり、空気の如き気体を圧縮する気体圧縮手段とされる。手動ポンプ１４１は、ヒンジ部１４５の長手方向、すなわち図中矢印Ａ１４で示した方向に手動で動かされることにより空気の取り込み、及び空気の圧縮を行い、圧縮空気を生成する。手動ポンプ１４１は圧縮空気を発電ユニット１４３に供給することにより発電のための空気を燃料電池に供給する。また、手動ポンプ１４１は圧縮空気をヒンジ部１４５の長手方向に沿った図中矢印Ｂ１４で示す方向に沿って送ることにより圧縮空気を圧縮空気貯蔵タンク１４２に供給する。
【０１０１】
圧縮空気貯蔵タンク１４２は、逆止弁、及びリリーフ弁を備え、これら弁によりタンク内圧の調整を行う。圧縮空気貯蔵タンク１４２は圧縮空気を一旦貯蔵し、燃料タンク１４８に経路ｂ１４１を介して圧縮空気を供給する。燃料タンク１４８は圧縮空気貯蔵タンク１４２から供給された圧縮空気を利用して燃料を発電ユニット１４３に経路ｂ１４２を介して供給する。
【０１０２】
このように、手動ポンプ１４１で生成された圧縮空気を利用することにより、発電ユニットに１４３に燃料及び酸化剤とされる空気を供給し、発電ユニット１４３が備える燃料電池の発電準備が完了する。
【０１０３】
ＰＣ本体部１４６は手動ポンプ１４１の動きに連動して作動するロック解除機構を有しており、このロック解除機構によってノート型ＰＣ１４０の電源スイッチ１４９がオン状態とされ、ノート型ＰＣ１４０が作動可能な状態とされる。すなわち、手動ポンプ１４１を駆動させることによって発電ユニット１４３が備える燃料電池は発電準備を完了するとともに、手動ポンプ１４１の動きに連動したロック解除機構によってノート型ＰＣ１４０の電源スイッチ１４９がオン状態とされる。発電準備完了後にノート型ＰＣ１４０の電源がオン状態とされることにより、燃料電池の発電準備が完了する前にノート型ＰＣ１４０の電源がオン状態とされる誤作動を防止することが可能となる。
【図面の簡単な説明】
【０１０４】
【図１】本発明の第１の実施形態にかかるノート型ＰＣの構成を示す斜視図である。
【図２】本発明の第２の実施形態にかかるノート型ＰＣの構成を示す斜視図である。
【図３】本発明の第３の実施形態にかかるノート型ＰＣの構成を示す斜視図である。
【図４】本発明の第４の実施形態にかかるノート型ＰＣの構成を示す斜視図である。
【図５】本発明の第５の実施形態にかかるノート型ＰＣの構成を示す斜視図である。
【図６】本発明の第６の実施形態にかかるノート型ＰＣの構成を示す斜視図である。
【図７】本発明の第７の実施形態にかかるノート型ＰＣの構成を示す斜視図である。
【図８】本発明の第８の実施形態にかかるノート型ＰＣの構成を示す斜視図である。
【図９】本発明の第９の実施形態にかかるノート型ＰＣの構成を示す斜視図である。
【図１０】本発明の第１０の実施形態にかかるノート型ＰＣの構成を示す斜視図である。
【図１１】本発明の第１１の実施形態にかかるノート型ＰＣの構成を示す斜視図である。
【図１２】本発明の第１２の実施形態にかかるノート型ＰＣの構成を示す断面図である。
【図１３】本発明の第１３の実施形態にかかるノート型ＰＣの構成を示す断面図である。
【図１４】本発明の第１４の実施形態にかかるノート型ＰＣの構成を示す斜視図である。
【符号の説明】
【０１０５】
１，１１，２１，１４１  手動ポンプ、２，１２，２２，３２，４２，５２，６２，８２，９２，１０２，１１２，１２２，１３２，１４２  圧縮空気貯蔵タンク、３  燃料電池、５，１５，２５，３５，４５，５５，６５，８５，９５，１０５，１１５，１２５，１４５  ヒンジ部、７，１７，２７，３７，４７，５７，６７，８７，９７，１０７，１１７，１２７，１３７，１４７  蓋部、２８，４８  タッチパッド、２９，４９  キー、３１，６１，９９，１０１  ローラー、５１  ボタン、５３，６３，１５３  マウス、５８，６８，１５８  ケーブル、８１，９１，１０９，１２９  ポンプ、８３，９３，１０３，１１３，１４３  発電ユニット、８８，９８，１０８，１１８，１４８  燃料タンク、１２１  ピストン、１２６ａ  底部、１３１  フラップ、１４９  電源スイッチ、１０，２０，３０，４０，５０，６０，７０，８０，９０，１００，１１０，１２０，１３０，１４０ノート型ＰＣ１００
【図１】
2005019371.tif 000003
【図２】
2005019371.tif 000004
【図３】
2005019371.tif 000005
【図４】
2005019371.tif 000006
【図５】
2005019371.tif 000007
【図６】
2005019371.tif 000008
【図７】
2005019371.tif 000009
【図８】
2005019371.tif 000010
【図９】
2005019371.tif 000011
【図１０】
2005019371.tif 000012
【図１１】
2005019371.tif 000013
【図１２】
2005019371.tif 000014
【図１３】
2005019371.tif 000015
【図１４】
2005019371.tif 000016